(57)【要約】【課題】光伝送路の伝送路特性を正確に推定できるようにする。【解決手段】複数の光伝送装置をそなえ、一の光伝送装置から少なくとも１つの光伝送装置を通過して他の光伝送装置へ至る光伝送路において既知のシンボル系列を伝送した結果に基づいて光伝送路の伝送路特性を推定する光伝送システムにおいて、光伝送路が通過する少なくとも１つの光伝送装置において既知のシンボル系列に対する通過帯域を拡大する制御を行ない、光伝送路において既知のシンボル系列を伝送し、伝送の結果に基づいて光伝送路の伝送路特性を推定する。【選択図】図７
2013201517.tif 000002
【特許請求の範囲】
【請求項１】
複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムの制御方法であって、
前記光伝送路が通過する前記少なくとも１つの光伝送装置において前記既知のシンボル系列に対する通過帯域を拡大する制御を行ない、
前記光伝送路において前記既知のシンボル系列を伝送し、
前記伝送の結果に基づいて前記光伝送路の伝送路特性を推定する、
ことを特徴とする、光伝送システムの制御方法。
【請求項２】
前記推定の完了後、前記拡大する制御を行なった通過帯域を元に戻す制御を行なうとともに、前記推定の結果に基づいて前記一の光伝送装置，前記光伝送路が通過する光伝送装置及び前記他の光伝送装置の少なくともいずれかにおけるディジタル信号処理のための設定を行なう、
ことを特徴とする、請求項１記載の光伝送システムの制御方法。
【請求項３】
前記他の光伝送装置において前記伝送後の既知のシンボル系列が所定の受信品質を満たすように、前記光伝送路が通過する前記少なくとも１つの光伝送装置の前記通過帯域を拡大する制御を行なう、
ことを特徴とする、請求項１又は２に記載の光伝送システムの制御方法。
【請求項４】
前記光伝送路が通過する光伝送装置のうち、前記既知のシンボル系列が伝送されるチャネルに隣接する隣接チャネルが未使用である光伝送装置を、前記通過帯域を拡大する制御の対象に決定する、
ことを特徴とする、請求項１〜３のいずれか１項に記載の光伝送システムの制御方法。
【請求項５】
前記光伝送路が通過する光伝送装置のうち、前記既知のシンボル系列が伝送されるチャネルに隣接する隣接チャネルにおいて信号光が挿入又は分岐される光伝送装置を、前記通過帯域を拡大する制御の非対象に決定する、
ことを特徴とする、請求項１〜４のいずれか１項に記載の光伝送システムの制御方法。
【請求項６】
前記光伝送システムがリング状ネットワークを含む場合、
前記通過帯域を拡大する制御を行なうことにより発生する漏れ光が前記リング状ネットワークを周回しないように、前記通過帯域を拡大する制御の対象となる光伝送装置を決定する、
ことを特徴とする、請求項１〜５のいずれか１項に記載の光伝送システムの制御方法。
【請求項７】
複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムの前記光伝送路が通過する光伝送装置であって、
前記既知のシンボル系列を伝送する前に、前記既知のシンボル系列に対する通過帯域を拡大する制御を行なう制御部と、
前記制御部が前記通過帯域を拡大する制御を行なった後に、前記既知のシンボル系列を前記光伝送路で伝送する伝送処理部と、をそなえる、
ことを特徴とする、光伝送装置。
【請求項８】
複数の光伝送装置と、一の光伝送装置から少なくとも１つの光伝送装置を通過して他の光伝送装置へ至る光伝送路において既知のシンボル系列を伝送した結果に基づいて前記光伝送路の伝送路特性を推定する制御装置と、を有する光伝送システムの前記制御装置であって、
前記既知のシンボル系列を伝送する前に、前記光伝送路が通過する前記少なくとも１つの光伝送装置において前記既知のシンボル系列に対する通過帯域を拡大する制御を行なう制御部と、
前記制御部が前記通過帯域を拡大する制御を行なった後に、前記光伝送路において伝送された前記既知のシンボル系列の伝送結果に基づいて前記光伝送路の伝送路特性を推定する処理部と、をそなえる、
ことを特徴とする、制御装置。
【請求項９】
複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムであって、
前記少なくとも１つの光伝送装置が、請求項７記載の光伝送装置である、
ことを特徴とする、光伝送システム。
【請求項１０】
複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムであって、
請求項８記載の制御装置をそなえる、
ことを特徴とする、光伝送システム。
【発明の詳細な説明】
【技術分野】
【０００１】
本発明は、光伝送システムの制御方法、光伝送装置、制御装置及び光伝送システムに関する。
【背景技術】
【０００２】
近年、伝送データの高品質化に伴い、波長分割多重（ＷＤＭ：Wavelength Division Multiplexing）技術を用いた光伝送システムなどにおいて、信号の高ビットレート化が要求されている。また、データの大容量化に伴い、信号の周波数が高くなりつつある。
一方、周波数の利用効率を向上させるべく、波長多重信号光のチャネル配置間隔を詰めて、１チャネルあたりの帯域幅を狭帯域化させることにより、大容量伝送を実現することが行なわれている。
【０００３】
上記のような光伝送システムにおいて、例えば、４０Ｇｂｐｓ，１００Ｇｂｐｓなどといった高速伝送を実現する場合、光伝送路の伝送路特性に起因して生じる偏波モード分散や波長分散などの伝送品質劣化要因の影響を無視することはできない。
そこで、上記伝送品質劣化要因の影響を抑制する方法の一例として、例えば、信号光をディジタル処理するディジタルコヒーレント信号処理技術の研究が進められている。
【０００４】
ディジタルコヒーレント信号処理技術を用いた光伝送装置の実現には、信号光が光伝送路を伝わる間に生じる信号劣化を推定する技術、前記推定結果から信号劣化の原因を特定し補償する技術、符号誤りを訂正する技術などの実現が求められる。
このうち、信号光が光伝送路を伝わる間に生じる信号劣化を推定する技術としては、例えば、光伝送路を介して既知のシンボル系列（以下、トレーニング信号ということがある）を送信し、送受信結果を比較することで信号劣化を推定する方式がある。
【０００５】
具体的には例えば、信号の追加（立ち上げ）時など、信号光の送受信を行なう前に、光伝送路を介してトレーニング信号を送信し、送受信結果の比較に基づいて光伝送路の伝送路特性を推定する。そして、当該推定結果に基づき、光伝送装置においてディジタル信号処理を行なう際の初期パラメータを設定する。
下記特許文献１には、０１交番データと０連続と１連続が交番する０連１連交番データとからなる固定データ列を光伝送路に伝送し、受信装置で０１交番データにおけるエラー発生数と０連１連交番データにおけるエラー発生数とに基づいて分散補償量の増減方向を決定し、可変分散補償器の分散補償量を可変制御する方法が記載されている。
【先行技術文献】
【特許文献】
【０００６】
【特許文献１】国際公開第２００６／１３７１３８号
【発明の概要】
【発明が解決しようとする課題】
【０００７】
上述したように、信号光について、１チャネルあたりの帯域幅を狭帯域化させることにより、周波数の利用効率を向上させて大容量伝送を実現することが行なわれている。
このとき、光伝送路の伝送路特性を推定するために用いられるトレーニング信号の帯域幅が、信号光の帯域幅よりも広い場合がある。
このような場合、トレーニング信号が通過する光伝送装置の通過帯域によっては、トレーニング信号が損失を受けることがある。
【０００８】
トレーニング信号が損失を受けると、光伝送路の伝送路特性を適切に推定することができず、ディジタル信号処理用の初期パラメータ設定を適切に行なうことができない場合がある。
このような場合、信号光に劣化が生じたり、信号光を正確に伝送できなかったりすることがある。
【０００９】
そこで、本発明は、光伝送路の伝送路特性を正確に推定できるようにすることを目的の１つとする。
なお、前記目的に限らず、後述する発明を実施するための形態に示す各構成により導かれる作用効果であって、従来の技術によっては得られない作用効果を奏することも本発明の他の目的の１つとして位置付けることができる。
【課題を解決するための手段】
【００１０】
（１）第１の案として、例えば、複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムの制御方法であって、前記光伝送路が通過する前記少なくとも１つの光伝送装置において前記既知のシンボル系列に対する通過帯域を拡大する制御を行ない、前記光伝送路において前記既知のシンボル系列を伝送し、前記伝送の結果に基づいて前記光伝送路の伝送路特性を推定する、光伝送システムの制御方法を用いることができる。
【００１１】
（２）また、第２の案として、例えば、複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムの前記光伝送路が通過する光伝送装置であって、前記既知のシンボル系列を伝送する前に、前記既知のシンボル系列に対する通過帯域を拡大する制御を行なう制御部と、前記制御部が前記通過帯域を拡大する制御を行なった後に、前記既知のシンボル系列を前記光伝送路で伝送する伝送処理部と、をそなえる、光伝送装置を用いることができる。
【００１２】
（３）さらに、第３の案として、例えば、複数の光伝送装置と、一の光伝送装置から少なくとも１つの光伝送装置を通過して他の光伝送装置へ至る光伝送路において既知のシンボル系列を伝送した結果に基づいて前記光伝送路の伝送路特性を推定する制御装置と、を有する光伝送システムの前記制御装置であって、前記既知のシンボル系列を伝送する前に、前記光伝送路が通過する前記少なくとも１つの光伝送装置において前記既知のシンボル系列に対する通過帯域を拡大する制御を行なう制御部と、前記制御部が前記通過帯域を拡大する制御を行なった後に、前記光伝送路において伝送された前記既知のシンボル系列の伝送結果に基づいて前記光伝送路の伝送路特性を推定する処理部と、をそなえる、制御装置を用いることができる。
【００１３】
（４）また、第４の案として、例えば、複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムであって、前記少なくとも１つの光伝送装置が、上記（２）に記載の光伝送装置である、光伝送システムを用いることができる。
【００１４】
（５）さらに、第５の案として、例えば、複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムであって、上記（３）に記載の制御装置をそなえる、光伝送システムを用いることができる。
【発明の効果】
【００１５】
光伝送路の伝送路特性を正確に推定することが可能となる。
【図面の簡単な説明】
【００１６】
【図１】光伝送システムの構成の一例を示す図である。
【図２】図１に示す光ノードの構成の一例を示す図である。
【図３】図２に示す波長選択スイッチの構成の一例を示す図である。
【図４】（Ａ）〜（Ｃ）は波長選択スイッチの通過帯域の変更の一例を示す図である。
【図５】波長選択スイッチの他の構成例を示す図である。
【図６】波長選択スイッチの他の構成例を示す図である。
【図７】第１実施形態に係る制御方法の一例を示す図である。
【図８】第１変形例に係る制御方法の一例を示す図である。
【図９】第１変形例に係る制御方法の一例を示す図である。
【図１０】通過帯域可変型の波長選択スイッチの通過帯域特性の一例を示す図である。
【図１１】ＬＣＯＳ型の波長選択スイッチの通過帯域特性の一例を示す図である。
【図１２】波長選択スイッチの各ポート配置の一例を示す図である。
【図１３】波長選択スイッチの入出力設定の一例を示す図である。
【図１４】光伝送システムの他の構成例を示す図である。
【図１５】図１４に示す光伝送システムの各光ノードにおけるチャネル毎の通過帯域特性の一例を示す図である。
【図１６】（Ａ）は光伝送システムの構成の一例を示す図であり、（Ｂ）〜（Ｄ）は第１変形例に係る制御方法の一例を示す図である。
【図１７】第２変形例に係る光伝送システムの構成の一例を示す図である。
【図１８】ネットワーク管理装置の構成の一例を示す図である。
【図１９】第２変形例に係る制御方法の一例を示す図である。
【図２０】第２変形例に係る制御方法の一例を示す図である。
【発明を実施するための形態】
【００１７】
以下、図面を参照して本発明の実施形態を説明する。ただし、以下に示す実施形態は、あくまでも例示に過ぎず、以下に示す実施形態及び各変形例で明示しない種々の変形や技術の適用を排除する意図はない。即ち、以下に示す実施形態及び各変形例を、本発明の趣旨を逸脱しない範囲で種々変形して実施してもよい。
〔１〕一実施形態
（１．１）光伝送システムの構成の一例
図１は一実施形態に係る光伝送システムの構成の一例を示す図である。
【００１８】
この図１に示す光伝送システム１は、例示的に、光送信器（Ｔｘ）２をそなえた光ノード４−１と、光ノード４−１からの信号光を中継する光ノード４−２〜４−（ｎ−１）（ｎは２以上の整数）と、光受信器（Ｒｘ）３をそなえた光ノード４−ｎとをそなえる。なお、説明の便宜上、図１では、光ノード４−１内のＴｘ２及び光ノード４−ｎ内のＲｘ３を外部に書き出している。また、以下では、光ノード４−１〜４−ｎを区別しない場合、単に光ノード４と表す。
【００１９】
図１に示す例では、Ｔｘ２から送信された信号光が、光ノード４−１によって光伝送路を伝送する波長多重信号光に挿入（アド）され、光ノード４−２〜４−（ｎ−１）を通過（スルー）され、光ノード４−ｎで分岐（ドロップ）されて、Ｒｘ３で受信される。なお、図１に例示する光伝送システム１のネットワーク形態は、あくまで一例であり、光伝送システム１は、リング型，メッシュ型，スター型，フルコネクト型，バス型，ツリー型などの種々のネットワーク形態を有していてもよい。また、光伝送システム１は、各ネットワーク形態の組み合わせを有していてもよい。
【００２０】
ところで、光伝送装置の一例として機能する各光ノード４は、信号光を波長単位で通過、挿入、分岐すべく、例えば、波長選択スイッチ（ＷＳＳ：Wavelength Selective Switch）を有している。
（１．２）光ノード４の構成の一例
光ノード４の構成の一例を図２に示す。
【００２１】
この図２に示す光ノード４は、例示的に、光カプラ４１−１と、光増幅器４２−１と、光カプラ４１−２と、光受信器（Ｒｘ）３−１と、ＷＳＳ４３−１と、光送信器（Ｔｘ）２−１と、光増幅器４２−２と、光カプラ４１−３とをそなえる。また、図２に示す光ノード４は、例示的に、光カプラ４１−４と、光増幅器４２−３と、光カプラ４１−５と、光受信器（Ｒｘ）３−２と、ＷＳＳ４３−２と、光送信器（Ｔｘ）２−２と、光増幅器４２−４と、光カプラ４１−６とをそなえる。さらに、図２に示す光ノード４は、例示的に、監視制御部４５−１を有する光監視チャネル（ＯＳＣ：Optical Supervisory Channel）処理装置４４−１と、監視制御部４５−２を有するＯＳＣ処理装置４４−２と、通過帯域制御部４６とをそなえる。なお、以下では、ＷＳＳ４３−１，４３−２を区別しない場合、単にＷＳＳ４３と表す。また、説明の便宜上、図２の紙面左側から紙面右側への方向を上り（ＵＬ：UpLink）と称し、図２の紙面右側から紙面左側への方向を下り（ＤＬ：DownLink）と称することがある。
【００２２】
図２に例示する光ノード４について、まず、上りに着目すると、光ファイバなどの光伝送路から光ノード４に入力された波長多重信号光は、光カプラ４１−１によって、光増幅器４２−１への方路とＯＳＣ処理装置４４−１への方路とにパワー分岐される。
光増幅器４２−１への方路にパワー分岐された波長多重信号光は、光増幅器４２−１によって増幅された後、光カプラ４１−２によって更にパワー分岐され、所望の波長の信号光が選択的に分岐（ドロップ）されて、Ｒｘ３−１によって受信処理を施される。なお、Ｒｘ３−１は、信号光をディジタル処理可能なディジタル回路（ＤＳＰ：Digital Signal Processor）を有する。
【００２３】
光カプラ４１−２からＷＳＳ４３−１に入力された波長多重信号光は、ＷＳＳ４３−１によって波長（チャネル）毎に分波され、さらに、チャネル毎に、信号光を挿入（アド）するか、そのまま通過（スルー）するかが選択され、再び波長多重されて光増幅器４２−２へ出力される。アドされる信号光は、Ｔｘ２−１によってＷＳＳ４３−１に供給される。なお、Ｔｘ２−１は、信号光をディジタル処理可能なディジタル回路を有する。
【００２４】
ＷＳＳ４３−１から出力された波長多重信号光は、光増幅器４２−２で増幅された後、光カプラ４１−３によって、ＯＳＣ処理装置４４−２から出力されるＯＳＣ光と合波されて、光伝送路へ出力される。
一方、下りに着目すると、光ファイバなどの光伝送路から光ノード４に入力された波長多重信号光は、光カプラ４１−４によって、光増幅器４２−３への方路とＯＳＣ処理装置４４−２への方路とにパワー分岐される。
【００２５】
光増幅器４２−３への方路にパワー分岐された波長多重信号光は、光増幅器４２−３によって増幅された後、光カプラ４１−５によって更にパワー分岐され、所望の波長の信号光が選択的に分岐（ドロップ）されて、Ｒｘ３−２によって受信処理を施される。なお、Ｒｘ３−２は、信号光をディジタル処理可能なディジタル回路を有する。
光カプラ４１−５からＷＳＳ４３−２に入力された波長多重信号光は、ＷＳＳ４３−２によって波長（チャネル）毎に分波され、さらに、チャネル毎に、信号光を挿入（アド）するか、そのまま通過（スルー）するかが選択され、再び波長多重されて光増幅器４２−４へ出力される。アドされる信号光は、Ｔｘ２−２によってＷＳＳ４３−２に供給される。なお、Ｔｘ２−２は、信号光をディジタル処理可能なディジタル回路を有する。
【００２６】
ＷＳＳ４３−２から出力された波長多重信号光は、光増幅器４２−４で増幅された後、光カプラ４１−６によって、ＯＳＣ処理装置４４−１から出力されるＯＳＣ光と合波されて、光伝送路へ出力される。
ＯＳＣ処理装置４４−１は、光カプラ４１−１でパワー分岐された波長多重信号光に含まれるＯＳＣ光を抽出し、ＯＳＣ光に重畳された制御情報を通過帯域制御部４６に通知したり、通過帯域制御部４６から通知された制御情報をＯＳＣ光に重畳して光カプラ４１−６に出力したりする。このため、ＯＳＣ処理装置４４−１は、ＯＳＣ光に重畳された制御情報を抽出して、当該制御情報の送受信制御を行なう監視制御部４５−１をそなえる。
【００２７】
同様に、ＯＳＣ処理装置４４−２は、光カプラ４１−４でパワー分岐された波長多重信号光に含まれるＯＳＣ光を抽出し、ＯＳＣ光に重畳された制御情報を通過帯域制御部４６に通知したり、通過帯域制御部４６から通知された制御情報をＯＳＣ光に重畳して光カプラ４１−３に出力したりする。このため、ＯＳＣ処理装置４４−２は、ＯＳＣ光に重畳された制御情報を抽出して、当該制御情報の送受信制御を行なう監視制御部４５−２をそなえる。
【００２８】
なお、上記制御情報は、例えば、光ノード４において障害が発生したことを示すアラーム信号や、光増幅器４２−１〜４２−４での増幅利得を制御するための制御信号や、ＷＳＳ４３での減衰量を制御するための制御信号などを含んでいてもよい。また、監視制御部４５−１，４５−２は、当該制御情報に基づき、障害発生をネットワーク管理装置（ＮＭＳ：Network Management System）に通知したり、光増幅器４２−１〜４２−４での増幅利得を制御したり、ＷＳＳ４３での減衰量を制御してもよい。
【００２９】
ここで、ＷＳＳ４３の構成の一例を図３に示す。
この図３に示すように、ＷＳＳ４３は、例示的に、光カプラ４３１と、通過帯域可変フィルタ４３２−１〜４３２〜５と、２×１光スイッチ４３３−１〜４３３−５と、光カプラ４３４とをそなえる。なお、通過帯域可変フィルタ４３２−１〜４３２〜５及び２×１光スイッチ４３３−１〜４３３−５の数は、図３に示す例に限定されず、ＷＳＳ４３に入力される波長多重信号光の波長多重数に応じて適宜変更され得る。
【００３０】
図３に示すＷＳＳ４３に、例えば、ｃｈ１（λ１）〜ｃｈ５（λ５）（λ１＜λ２＜λ３＜λ４＜λ５）の５波長の信号光が波長多重された波長多重信号光が入力される場合、当該波長多重信号光は、光カプラ４３１でパワー分岐された後、通過帯域可変フィルタ４３２−１〜４３２−５にそれぞれ入力される。
通過帯域可変フィルタ４３２−１は、λ１の信号光を通過させる一方、λ２〜λ５の各信号光を阻止する。通過帯域可変フィルタ４３２−１は、例えば、ローパスフィルタあるいはバンドパスフィルタにより実現される。また、通過帯域可変フィルタ４３２−２は、λ２の信号光を通過させる一方、λ１及びλ３〜λ５の各信号光を阻止する。通過帯域可変フィルタ４３２−２は、例えば、バンドパスフィルタにより実現される。さらに、通過帯域可変フィルタ４３２−３は、λ３の信号光を通過させる一方、λ１，λ２，λ４及びλ５の各信号光を阻止する。通過帯域可変フィルタ４３２−３は、例えば、バンドパスフィルタにより実現される。また、通過帯域可変フィルタ４３２−４は、λ４の信号光を通過させる一方、λ１〜λ３及びλ５の各信号光を阻止する。通過帯域可変フィルタ４３２−４は、例えば、バンドパスフィルタにより実現される。さらに、通過帯域可変フィルタ４３２−５は、λ５の信号光を通過させる一方、λ１〜λ４の各信号光を阻止する。通過帯域可変フィルタ４３２−５は、例えば、ハイパスフィルタあるいはバンドパスフィルタにより実現される。
【００３１】
２×１光スイッチ４３３−１は、通過帯域可変フィルタ４３２−１から出力されたλ１の信号光とＴｘから挿入（アド）されたλ１の信号光とのうち、いずれか一方を選択して光カプラ４３４へ出力する。また、２×１光スイッチ４３３−２は、通過帯域可変フィルタ４３２−２から出力されたλ２の信号光とＴｘから挿入（アド）されたλ２の信号光とのうち、いずれか一方を選択して光カプラ４３４へ出力する。さらに、２×１光スイッチ４３３−３は、通過帯域可変フィルタ４３２−３から出力されたλ３の信号光とＴｘから挿入（アド）されたλ３の信号光とのうち、いずれか一方を選択して光カプラ４３４へ出力する。また、２×１光スイッチ４３３−４は、通過帯域可変フィルタ４３２−４から出力されたλ４の信号光とＴｘから挿入（アド）されたλ４の信号光とのうち、いずれか一方を選択して光カプラ４３４へ出力する。さらに、２×１光スイッチ４３３−５は、通過帯域可変フィルタ４３２−５から出力されたλ５の信号光とＴｘから挿入（アド）されたλ５の信号光とのうち、いずれか一方を選択して光カプラ４３４へ出力する。
【００３２】
光カプラ４３４は、２×１光スイッチ４３３−１〜４３３−５から出力されたλ１〜λ５の信号光を合波して出力する。
ここで、ＷＳＳ４３は、例えば、各通過帯域可変フィルタ４３２−１〜４３２−５の通過帯域を変更することにより、各波長（チャネル）の信号光に対する通過帯域を制御することができる。
【００３３】
例えば、図４（Ａ）に例示するように、λ１の信号光に対して、ある通過帯域ａが設定されている場合、図４（Ｂ）に例示するように、通過帯域ａを通過帯域ｂへ拡大したり、図４（Ｃ）に例示するように、通過帯域ａ又はｂを通過帯域ｃへ縮小したりすることができる。なお、このような通過帯域の制御は、図３に例示した構成を有するＷＳＳ４３に限らず、図５に例示するようなＭＥＭＳ（Micro Electro Mechanical Systems）ミラーアレイを用いた波長選択スイッチ４３や、図６に例示するようなＬＣＯＳ（Liquid Crystal On Silicon）を用いた波長選択スイッチ４３においても実施することができる。
【００３４】
ところで、光ノード４内の光送信器（Ｔｘ）２−１，２−２や光受信器（Ｒｘ）３−１，３−２において、信号光をディジタル処理する場合、光伝送路の伝送路特性についての推定結果に基づいて、ディジタル信号処理用のパラメータ設定を行なうことがある。
例えば、信号の追加（立ち上げ）時など、信号光の送受信を行なう前に、光伝送路を介して既知のシンボル系列（トレーニング信号）を、信号光を送受信するチャネルにて伝送し、当該伝送の結果に基づいて光伝送路の伝送路特性を推定し、当該推定結果を基に、ディジタル信号処理を行なう際の初期パラメータ設定を行なう。なお、以下では、当該初期パラメータ設定に係る一連の処理のことを、単に、初期プロセスともいう。
【００３５】
しかしながら、トレーニング信号が有する帯域幅よりも信号光が有する帯域幅の方が小さい場合、ＷＳＳ４３の通過帯域が、信号光が有する帯域幅に応じて設定されていることがある。このような場合、ＷＳＳ４３での通過帯域が、トレーニング信号の帯域幅よりも狭いため、トレーニング信号が損失を受けることがある。その結果、光伝送路の伝送路特性を適切に推定することができず、ディジタル信号処理用の初期パラメータ設定を適切に行なえずに、信号光に劣化が生じたり、信号光を正確に伝送できなかったりすることがある。
【００３６】
そこで、本例の通過帯域制御部４６は、トレーニング信号の伝送前に、ＷＳＳ４３の通過帯域を拡大する制御を行なう。
具体的には例えば、通過帯域制御部４６は、ＯＳＣ処理装置４４１，４４−２から通知される制御情報に基づいて、初期プロセスの実施対象であるチャネルを検知し、ＷＳＳ４３における当該チャネルの通過帯域を拡大する制御を行なう。
【００３７】
即ち、通過帯域制御部４６は、トレーニング信号を伝送する前に、トレーニング信号に対する通過帯域を拡大する制御を行なう制御部の一例として機能する。
また、波長選択スイッチ４３−１，４３−２は、通過帯域を拡大する制御を行なった後に、トレーニング信号を光伝送路で伝送する伝送処理部の一例として機能する。
これにより、光伝送路の伝送路特性を推定するためのトレーニング信号が受ける損失を減少させることができ、光伝送路の伝送路特性を正確に推定することが可能となる。また、その結果、ディジタル信号処理用の初期パラメータ設定を適切に行なうことができ、信号光を確実の送受信できるようになる。
【００３８】
（１．３）制御方法の一例
ここで、ＷＳＳ４３の通過帯域の制御方法の一例について、図７を用いて説明する。
この図７に例示するように、まず、信号の立ち上げなどを契機として制御が開始されると（ステップＳ１０）、通過帯域制御部４６は、ＯＳＣ処理装置４４−１，４４−２から通知される制御情報に基づき、初期プロセスの実施対象であるチャネルを検知する（ステップＳ１１）。つまり、通過帯域制御部４６は、ＯＳＣ処理装置４４−１，４４−２から通知される制御情報に基づき、トレーニング信号を伝送するチャネルを検知する。
【００３９】
そして、通過帯域制御部４６は、ステップＳ１１で検知したチャネルに対する、ＷＳＳ４３の通過帯域を拡大させる（ステップＳ１２）。なお、ＷＳＳ４３の通過帯域をどこまで拡大するかについては、伝送するトレーニング信号の帯域幅に基づいて、決定することができる。具体的には例えば、トレーニング信号が通過時に受ける損失が所定の閾値以下となるように、ＷＳＳ４３の通過帯域が拡大されてもよい。
【００４０】
また、例えば、ステップＳ１１で検知したチャネルの通過帯域を当該チャネルに隣接する隣接チャネルの通過帯域まで拡大することで、ステップＳ１２の処理を実現してもよい。なお、隣接チャネルの少なくともいずれかまで通過帯域を拡大する制御を行なうことにより、トレーニング信号の通過帯域幅を拡大するようにしてもよい。さらに、全ての光ノード４のＷＳＳ４３においてステップＳ１２の処理を行なってもよいし、あるいは、ステップＳ１１で検知したチャネルに隣接する隣接チャネルの少なくともいずれかが未使用である光ノード４においてステップＳ１２の処理を行なう一方、それ以外の光ノード４においてステップＳ１２の処理を行なわないようにしてもよい。このようにすれば、通過帯域の拡大制御によりネットワークパス上の他のチャネルに与える影響を抑制することができる。
【００４１】
次に、通過帯域制御部４６は、通過帯域を拡大したチャネルにおいて、トレーニング信号を伝送する（ステップＳ１３）。例えば、通過帯域制御部４６は、ステップＳ１２の処理が完了したことを、光ノード４内のＴｘに通知することにより、トレーニング信号の伝送を開始させることができる。なお、トレーニング信号としては、例えば、０値と１値とが交互に発生する交番信号を用いてもよい。
【００４２】
トレーニング信号の受信先である光ノード４内のＲｘ３−１，３−２は、トレーニング信号の伝送結果に基づいて、光伝送路の伝送路特性を推定する。このとき、当該光ノード４は、トレーニング信号のサイドバンドを伝送路特性の推定処理に用いることができるので、正確に伝送路特性を推定することができる。
そして、通過帯域制御部４６は、トレーニング信号の受信先である光ノード４内のＲｘ３−１，３−２による、光伝送路の伝送路特性の推定が完了したかどうかを判定し（ステップＳ１４）、光伝送路の伝送路特性の推定が完了していないと判定した場合（ステップＳ１４のＮｏルート）、通過帯域制御部４６は、光伝送路の伝送路特性の推定が完了するまで待機する。なお、ステップＳ１４の判定処理は、例えば、光伝送路の伝送路特性の推定処理を実施した装置から、当該処理の完了報告を通知されることにより行なうことができる。
【００４３】
一方、光伝送路の伝送路特性の推定が完了したと判定した場合（ステップＳ１４のＹｅｓルート）、通過帯域制御部４６は、ＷＳＳ４３において拡大した通過帯域を元に戻す（ステップＳ１５）。
そして、通過帯域制御部４６は、上記推定された光伝送路の伝送路特性に基づいて、自局４でのディジタル信号処理におけるパラメータ設定を行なう（ステップＳ１６）。なお、Ｒｘ３−１，３−２は、自ら推定した光伝送路の伝送路特性に基づいて、自局４でのディジタル信号処理におけるパラメータ設定を行なうようにしてもよい。
【００４４】
上記パラメータ設定後、光ノード４は、初期プロセスを実施したチャネルにおいて、信号光を伝送し（ステップＳ１７）、制御を終了する（ステップＳ１８）。
なお、上記ステップＳ１０〜Ｓ１８の各処理は、上記制御対象のチャネルの信号光を伝送する光ノード４の全てにおいて実施されてもよいし、上記制御対象のチャネルの信号光を伝送する光ノード４のうちの少なくともいずれかおいて実施されてもよい。
【００４５】
以上のように、本例では、光伝送路の伝送路特性を推定するためのトレーニング信号を伝送する前に、光ノード４において、当該トレーニング信号の通過帯域を拡大しておくことにより、トレーニング信号が受ける損失を減少させることができる。
その結果、光伝送路の伝送路特性を適切に推定することができ、ディジタル信号処理用のパラメータ設定を適切に行なうことが可能となる。
【００４６】
〔２〕第１変形例
ところで、送信器（Ｔｘ）から受信器（Ｒｘ）までにおけるトレーニング信号の通過帯域幅は、例えば、トレーニング信号が通過する光ノード４の数に応じて変化する。
そこで、本例では、トレーニング信号が通過する光ノード数に応じて、トレーニング信号が伝送されるチャネルの通過帯域を拡大する制御を行なうか否かを決定する。さらに、前記制御を行なう場合、例えば、トレーニング信号が受ける損失が所定の閾値以下となるように、換言すれば、伝送後のトレーニング信号が所定の受信品質を満たすように、一部の光ノード４において当該チャネルの通過帯域を拡大する制御を行なう。
【００４７】
本例の制御方法について、図８を用いて説明する。
この図８に例示するように、まず、あるチャネルにおける信号の立ち上げなどを契機として制御が開始されると、トレーニング信号の送信元である光ノード４−１は、制御開始を示す情報と通過ノード数に関する情報「１」とを光ノード４−２に通知する（ステップＳ２０）。
【００４８】
光ノード４−２は、光ノード４−１から通知を受けると、次の光ノード４−３に対して、制御開始を示す情報と通過ノード数に関する情報「２」とを通知する（ステップＳ２１）。
同様に、光ノード４−３〜４−（ｎ−１）は、次の光ノード４−４〜４−ｎに対して、制御開始を示す情報と通過ノード数に関する情報「３」〜「ｎ−１」とを通知していく。
【００４９】
このように、各光ノード４が通過ノード数に関する情報を１ずつ増加（カウントアップ）して次の光ノード４に通知していくことにより、トレーニング信号の受信先である光ノード４−ｎに対して、トレーニング信号が通過する光ノード数を通知することができる。
光ノード４−ｎは、上述のようにして通知された情報に基づいて、トレーニング信号が通過する光ノード数（通過ノード数）を取得し、通過ノード数が上限ノード数よりも大きいか否かを判定する（ステップＳ２２）。この上限ノード数は、例えば、立ち上げチャネルでの通過帯域の拡大制御を行なわなくても、トレーニング信号が受ける損失が所定の閾値未満となるような、通過ノード数の上限値を表す。なお、上限ノード数は、例えば、トレーニング信号が受ける損失や送信器から受信器までの通過帯域幅などを、実測やシミュレーションなどによって測定し、当該測定結果に基づいて決定されてもよい。
【００５０】
通過ノード数が上限ノード数以下であると判定した場合（ステップＳ２２のＮｏルート）、光ノード４−ｎは、制御を終了するとともに、各光ノード４に対して制御の終了を通知する（ステップＳ３５）。なお、制御の終了を通知された各光ノード４は、ＷＳＳ４３において通過帯域を拡大することなく、トレーニング信号の伝送を開始し、初期プロセスを実施する。
【００５１】
一方、通過ノード数が上限ノード数よりも大きいと判定した場合（ステップＳ２２のＹｅｓルート）、光ノード４−ｎは、トレーニング信号が受ける損失が所定の閾値以上となると判断し、通過帯域の拡大制御の対象となる光ノード（制御対象ノード）４を決定する（ステップＳ２３）。
制御対象ノードは、例えば、通過帯域の拡大制御によりネットワークパス上の他のチャネルに影響を与えず、且つ、装置制御上の制約の無い光ノード４から選択される。具体的には例えば、図９に例示するような制御対象ノード決定処理が実施される。
【００５２】
図９に例示するように、まず、制御対象ノードを決定する処理が開始されると（ステップＳ４０）、光ノード４−ｎは、上限ノード数と通過ノード数とに基づいて、通過帯域の拡大制御を行なうべき光ノード４の数（制御要ノード数）を算出する（ステップＳ４１）。具体的には例えば、光ノード４−ｎは、通過ノード数から上限ノード数を差し引いた値を制御要ノード数として算出する。なお、制御要ノード数は、通過ノード数から上限ノード数を差し引いた値より大きい値であってもよい。
【００５３】
次に、光ノード４−ｎは、通過帯域の拡大制御の対象に決定した光ノード４の数（制御対象ノード数）を「０」に初期化する（ステップＳ４２）。
そして、光ノード４−ｎは、各光ノード４について上記制御の対象であるか否かの決定処理を行なっていくが、まず、当該決定処理が行なわれていない光ノード４が存在するか否かを判定する（ステップＳ４３）。
【００５４】
全ての光ノード４について決定処理が済んでいれば（ステップＳ４３のＮｏルート）、光ノード４−ｎは、制御対象ノード決定処理を終了する（ステップＳ５３）。
一方、決定処理が済んでいない光ノード４があれば（ステップＳ４３のＹｅｓルート）、光ノード４−ｎは、光ノード４−１〜４−ｎのうちの一の光ノード４について、例えば、チャネル監視情報などを分析することにより、トレーニング信号が伝送されるチャネル（制御対象チャネル）の両隣接チャネルの使用状況を確認する（ステップＳ４４）。
【００５５】
ここで、ＷＳＳ４３が図３や図５に例示したような構成を有する場合、図１０に例示するように、制御対象チャネル（例えば、λ２）の両隣接チャネル（例えば、λ１及びλ３）が通過状態（オン）であっても、トレーニング信号の強度が低下する波長領域（谷）が存在する。
これに対し、ＷＳＳ４３が図６に例示したようなＬＣＯＳを有するタイプである場合、図１１に例示するように、制御対象チャネル（例えば、λ２）の両隣接チャネル（例えば、λ１及びλ３）が通過状態（オン）である場合、トレーニング信号の強度が低下する波長領域（谷）が存在しない。
【００５６】
このため、ＷＳＳ４３がＬＣＯＳ型の波長選択スイッチであって、制御対象チャネルの両隣接チャネルが通過状態であれば、制御対象チャネルの通過帯域が既に拡大されているとみなすことができる。
そこで、光ノード４−ｎは、ＷＳＳ４３がＬＣＯＳ型の波長選択スイッチであって、且つ、制御対象チャネルの両隣接チャネルが通過状態であるか否かを判定する（ステップＳ４５）。そして、ＷＳＳ４３がＬＣＯＳ型の波長選択スイッチであって、且つ、制御対象チャネルの両隣接チャネルが通過状態である場合（ステップＳ４５のＹｅｓルート）、光ノード４−ｎは、制御要ノード数を１減らす（ステップＳ５１）。なお、ＷＳＳ４３がＬＣＯＳ型の波長選択スイッチでない場合、光ノード４−ｎは、ステップＳ４５及びＳ５１の各処理を省略してもよい。
【００５７】
そして、光ノード４−ｎは、制御対象ノード数が制御要ノード数以上となったかどうかを判定し（ステップＳ５０）、制御対象ノード数が制御要ノード数以上となっていれば（ステップＳ５０のＹｅｓルート）、制御対象ノード決定処理を終了する（ステップＳ５３）。また、制御対象ノード数が制御要ノード数未満であれば（ステップＳ５０のＮｏルート）、光ノード４−ｎは、処理をステップＳ４３に戻す。
【００５８】
一方、ＷＳＳ４３がＬＣＯＳ型の波長選択スイッチでないか、ＷＳＳ４３がＬＣＯＳ型の波長選択スイッチであっても、制御対象チャネルの両隣接チャネルのいずれかが通過状態でない場合（ステップＳ４５のＮｏルート）、光ノード４−ｎは、制御対象チャネルの両隣接チャネルのいずれかで信号光のアド又はドロップが実施されているか否かを判定する（ステップＳ４６）。具体的には例えば、光ノード４−ｎは、各光ノード４の波長選択スイッチ４３に関する設定情報を収集し、収集した各設定情報に基づいて、制御対象チャネルの両隣接チャネルのいずれかで信号光のアド又はドロップが実施されているか否かを判定することができる。なお、波長選択スイッチ４３に関する設定情報には、例えば、波長選択スイッチ４３における各チャネルについての入出力先に関する情報が含まれる。つまり、各光ノード４は、自局４における上記設定情報を隣接する光ノード４に送信する機能を有するとともに、自局４に隣接する光ノード４から受信した上記設定情報に自局４における設定情報を追加して次の光ノード４に送信する機能を有していてもよい。
【００５９】
例えば、図１２に示すように、ＷＳＳ４３が、光カプラ４１から信号光が入力される入力ポート４７と、信号光がアドされるアドポート４９と、光伝送路へ信号光を出力する出力ポート４８とを有するとともに、例えば、ｃｈ１の信号光がアドされ、ｃｈ２及びｃｈ５の各信号光がスルーされ、ｃｈ３及びｃｈ４の各信号光がドロップされるような設定を有している場合、図１３に例示するような入出力設定がなされている。
【００６０】
このとき、ｃｈ１が制御対象チャネルの隣接チャネルである場合、制御対象チャネルの通過帯域の拡大制御により通過状態に設定されると、波長多重信号光に含まれるｃｈ１の信号光を阻止できず、当該光ノード４からｃｈ１の信号光をアドすることができなくなる。このため、アドされるｃｈ１が制御対象チャネルの隣接チャネルである光ノード４では、制御対象チャネルに対する通過帯域の拡大制御を行なわないようにするのが望ましい。
【００６１】
また、ｃｈ３及びｃｈ４のいずれかが制御対象チャネルの隣接チャネルである場合、制御対象チャネルの通過帯域の拡大制御により通過状態に設定されると、波長多重信号光に含まれるｃｈ３及びｃｈ４の信号光が次の光ノード４まで伝送されることになる。このため、ドロップされるｃｈ３及びｃｈ４のいずれかが制御対象チャネルの隣接チャネルである光ノード４では、制御対象チャネルに対する通過帯域の拡大制御を行なわないようにするのが望ましい。
【００６２】
そこで、光ノード４−ｎは、制御対象チャネルの隣接チャネルのいずれかで信号光のアド又はドロップが実施される場合は（ステップＳ４６のＹｅｓルート）、当該光ノード４を、通過帯域の拡大制御を実施しない非制御対象に決定する（ステップＳ５２）。
そして、光ノード４−ｎは、制御対象ノード数が制御要ノード数以上となったかどうかを判定し（ステップＳ５０）、制御対象ノード数が制御要ノード数以上となっていれば（ステップＳ５０のＹｅｓルート）、制御対象ノード決定処理を終了する（ステップＳ５３）。また、制御対象ノード数が制御要ノード数未満であれば（ステップＳ５０のＮｏルート）、光ノード４−ｎは、処理をステップＳ４３に戻す。
【００６３】
一方、制御対象チャネルの両隣接チャネルのいずれにおいても信号光のアド又はドロップが実施されない場合（ステップＳ４６のＮｏルート）、光ノード４−ｎは、制御対象チャネルの両隣接チャネルのいずれかを通過状態に制御した場合に、自然放出（ＡＳＥ：Amplified Spontaneous Emission）光などの漏れ光がリングネットワーク上を周回するかどうかを判定する（ステップＳ４７）。具体的には例えば、光ノード４−ｎは、各光ノード４の波長選択スイッチ４３に関する設定情報を収集し、収集した各設定情報に基づいて、制御対象チャネルの両隣接チャネルのいずれかで信号光のアド又はドロップが実施されているか否かを判定することができる。なお、波長選択スイッチ４３に関する設定情報には、例えば、波長選択スイッチ４３における各チャネルについての入出力先に観する情報が含まれる。つまり、各光ノード４は、自局４における上記設定情報を隣接する光ノード４に送信する機能を有するとともに、自局４に隣接する光ノード４から受信した上記設定情報に自局４における設定情報を追加して次の光ノード４に送信する機能を有していてもよい。
【００６４】
例えば、光伝送システム１が、図１４に例示するように、光ノード４−１〜４−１０がリング状に接続されたリングネットワークを有しており、例えば、連続するｃｈ１〜ｃｈ５のうち、ｃｈ４の信号光（図１４中、点線矢印を参照）が光ノード４−１０からアドされて、光ノード４−１〜４−５を通過し、光ノード４−６でドロップされるとともに、ｃｈ２の信号光（図１４中、一点鎖線矢印を参照）が光ノード４−５からアドされて、光ノード４−６〜４−１０，４−１を通過し、光ノード４−２でドロップされる場合を考える。
【００６５】
このような場合、図１５に例示するように、ｃｈ４においてトレーニング信号を伝送すべく、ｃｈ４の通過帯域を拡大制御した結果、ｃｈ４の両隣接チャネルであるｃｈ３及びｃｈ５が通過状態（図１５中、光ノード４−１〜４−５の列における、ｃｈ３及びｃｈ５の行の網掛け部分を参照）となり、且つ、ｃｈ２においてトレーニング信号を伝送すべく、ｃｈ２の通過帯域を拡大制御した結果、ｃｈ２の両隣接チャネルであるｃｈ１及びｃｈ３が通過状態（図１５中、光ノード４−６〜４−１０及び４−１の列における、ｃｈ１及びｃｈ３の行の網掛け部分を参照）となると、光ノード４−１〜４−１０を通してｃｈ３が通過状態となり、ｃｈ３の帯域内のＡＳＥ光がリングネットワーク上を周回してしまい、発振して他のチャネルの伝送性能を劣化させる可能性がある。
【００６６】
そこで、このような場合には（ステップＳ４７のＹｅｓルート）、光ノード４−ｎは、当該光ノード４を、通過帯域の拡大制御を実施しない非制御対象に決定する（ステップＳ５２）。なお、光伝送システム１がリングネットワークを有さない場合、光ノード４−ｎは、ステップＳ４７の処理を省略してもよい。
そして、光ノード４−ｎは、制御対象ノード数が制御要ノード数以上となったかどうかを判定し（ステップＳ５０）、制御対象ノード数が制御要ノード数以上となっていれば（ステップＳ５０のＹｅｓルート）、制御対象ノード決定処理を終了する（ステップＳ５３）。また、制御対象ノード数が制御要ノード数未満であれば（ステップＳ５０のＮｏルート）、光ノード４−ｎは、処理をステップＳ４３に戻す。
【００６７】
一方、光伝送システム１がリングネットワークを有さないか、トレーニング信号がリングネットワークを周回しない（即ち、リングネットワーク上のトレーニング信号の周回を回避できる）と判定した場合（ステップＳ４７のＮｏルート）、光ノード４−ｎは、当該光ノード４を通過帯域の拡大制御の対象に決定し（ステップＳ４８）、制御対象ノード数を１増やす（ステップＳ４９）。なお、上記の「周回」とは、トレーニング信号がリングネットワークを少なくとも１周することをいう。
【００６８】
そして、光ノード４−ｎは、制御対象ノード数が制御要ノード数以上となったかどうかを判定し（ステップＳ５０）、制御対象ノード数が制御要ノード数以上となっていれば（ステップＳ５０のＹｅｓルート）、制御対象ノード決定処理を終了する（ステップＳ５３）。また、制御対象ノード数が制御要ノード数未満であれば（ステップＳ５０のＮｏルート）、光ノード４−ｎは、処理をステップＳ４３に戻す。
【００６９】
以上のようにして決定した制御対象ノードに関する情報は、光ノード４−ｎによって、監視制御信号に重畳され、ＯＳＣなどを介して、光ノード４−（ｎ−１）〜４−２へ順に通知される（図８のステップＳ２４）。
一例として、制御対象ノードに関する情報を通知された光ノード４−２は、当該情報に基づいて、自局４−２が制御対象ノードであるか否かを判定し（ステップＳ２５）、自局４−２が制御対象ノードであると判定した場合は（ステップＳ２５のＹｅｓルート）、ＷＳＳ４３の通過帯域を拡大する制御を行ない（ステップＳ２６）、次の光ノード４−１に制御対象ノードに関する情報を転送する（ステップＳ２７）。なお、当該光ノード４−２において、ＷＳＳ４３がＬＣＯＳを有するタイプである場合は、制御対象チャネルの両隣接チャネルを通過状態に制御することにより、制御対象チャネルの通過帯域を拡大するようにしてもよい。
【００７０】
一方、自局４−２が制御対象ノードでないと判定した場合は（ステップＳ２５のＮｏルート）、ＷＳＳ４３の通過帯域を拡大する制御を行なわずに、次の光ノード４−１に制御対象ノードに関する情報を転送する（ステップＳ２７）。
同様に、光ノード４−２から制御対象ノードに関する情報を通知された光ノード４−１は、当該情報に基づいて、自局４−１が制御対象ノードであるか否かを判定し（ステップＳ２８）、自局４−１が制御対象ノードであると判定した場合は（ステップＳ２８のＹｅｓルート）、ＷＳＳ４３の通過帯域を拡大する制御を行なう（ステップＳ２９）。なお、当該光ノード４−１においても、光ノード４−２と同様に、ＷＳＳ４３がＬＣＯＳを有するタイプである場合は、制御対象チャネルの両隣接チャネルを通過状態に制御することにより、制御対象チャネルの通過帯域を拡大するようにしてもよい。
【００７１】
一方、自局４−１が制御対象ノードでないと判定した場合は（ステップＳ２８のＮｏルート）、ＷＳＳ４３の通過帯域を拡大する制御をスキップする。
上記の通過帯域の拡大制御が完了すると、光送信器としての光ノード４−１は、光伝送路を介して既知のトレーニング信号を送信し、光受信器としての光ノード４−ｎは、光ノード４−１から送信されたトレーニング信号を受信し、当該受信結果に基づいて、偏波モード分散や波長分散などの光伝送路の伝送路特性を推定する。
【００７２】
次に、光ノード４−ｎは、上記推定処理が完了したか否かを判断し（ステップＳ３０）、推定処理が完了したと判断した場合は（ステップＳ３０のＹｅｓルート）、Ｒｘ（光受信器）のディジタル信号処理の初期パラメータ設定を行なう（ステップＳ３０−１）。また、光ノード４−ｎは、推定処理の完了及び推定結果を、光ノード４−（ｎ−１）〜４−２へ通知する（ステップＳ３１）。なお、推定処理の完了及び推定結果に関する情報は、例えば、監視制御信号に重畳され、ＯＳＣなどを介して通知されてもよい。また、推定処理が完了していないと判断した場合（ステップＳ３０のＮｏルート）、光ノード４−ｎは、推定処理が完了するまでステップＳ３０の処理を繰り返す。
【００７３】
一例として、推定処理の完了及び推定結果に関する情報を通知された光ノード４−２は、ＷＳＳ４３の通過帯域を拡大していた場合は、通過帯域を元に戻し（ステップＳ３２）、次の光ノード４−１に推定処理の完了及び推定結果に関する情報を転送する（ステップＳ３３）。
同様に、光ノード４−２から推定処理の完了及び推定結果に関する情報を通知された光ノード４−１は、ＷＳＳ４３の通過帯域を拡大していた場合は、通過帯域を元に戻し、通知された推定結果に基づいて、Ｔｘ（光送信器）のディジタル処理用の初期パラメータ設定を行なう（ステップＳ３４）。なお、ＷＳＳ４３の通過帯域を元に戻すことは、ＷＳＳ４３の通過帯域を信号光用の通過帯域に変更することを意味する。換言すれば、トレーニング信号の帯域幅が信号光の帯域幅よりも大きい場合に、トレーニング信号用に拡大されていたＷＳＳ４３の通過帯域を、信号光用の通過帯域に狭めることを意味する。
【００７４】
ここで、上記制御方法の具体例を図１６（Ａ）〜図１６（Ｄ）に示す。
図１６（Ａ）に例示するように、光伝送システム１が、１０個の光ノード４−１〜４−１０を有しており、図１６（Ｂ）に例示するように、各光ノード４内のＷＳＳ４３が、−３ｄＢ帯域幅として４０ＧＨｚ（Gaussian Order3）の通過帯域を有する場合において、例えば、立ち上げチャネルの初期プロセス時に要求される通過帯域幅が、−３ｄＢ帯域幅として３０ＧＨｚであるとする。
【００７５】
しかしながら、図１６（Ｂ）に示すように、各光ノード４内のＷＳＳ４３の通過帯域幅をそのままにしてトレーニング信号を伝送した場合、伝送後のＲｘ３におけるトレーニング信号の通過帯域幅は、−３ｄＢ帯域幅として２５ＧＨｚとなり、要求される通過帯域幅である３０ＧＨｚを満たすことができない。
そこで、本例では、図１６（Ｃ）に例示するように、光ノード４−１〜４−１０のうちのいずれか５つの光ノード（例えば、光ノード４−３〜４−６，４−９）内のＷＳＳ４３において、トレーニング信号を伝送する制御対象チャネルの両隣接チャネルを通過設定するなどして、制御対象チャネルの通過帯域を拡大することで、伝送後のＲｘ３におけるトレーニング信号の通過帯域幅を、要求される通過帯域幅である３０ＧＨｚまで引き上げることができる。
【００７６】
なお、トレーニング信号の伝送により初期プロセスが完了した後は、図１６（Ｄ）に例示するように、光ノード４−３〜４−６，４−９内のＷＳＳ４３において拡大した通過帯域を元に戻すことで、信号光伝送時におけるチャネルの利用効率を向上させるようにしてもよい。
〔３〕第２変形例
上述した実施形態及び第１変形例では、各光ノード４が、ＯＳＣ光を用いて上記制御を実現したが、例えば、ＮＭＳが、ＧＭＰＬＳ（Generalized Multi-Protocol Label Switching）やＴＬ１（Transaction Language 1）コマンドなどを用いることにより、上記制御を実現してもよい。
【００７７】
図１７は本例に係る光伝送システムの構成の一例を示す図である。
この図１７に示す光伝送システム１´は、例示的に、光送信器（Ｔｘ）２をそなえた光ノード４−１と、光ノード４−１からの信号光を中継する光ノード４−２〜４−（ｎ−１）と、光受信器（Ｒｘ）３をそなえた光ノード４−ｎと、各光ノード４を管理するネットワーク管理装置（ＮＭＳ）５とをそなえる。なお、説明の便宜上、図１７においても、光ノード４−１内のＴｘ２及び光ノード４−ｎ内のＲｘ３を外部に書き出している。
【００７８】
ＮＭＳ５は、例えば、図１８に示すように、各光ノード４から各種の情報を受信する受信部５１と、受信した各種の情報に基づいて上記制御を実施する処理部５２と、上記制御結果に基づく制御情報を各光ノード４に送信する送信部５３とをそなえる。
即ち、ＮＭＳ５は光伝送システム１´の制御装置の一例として機能する。
また、処理部５２は、既知のトレーニング信号を伝送する前に、光伝送路が通過する少なくとも１つの光ノード４において既知のトレーニング信号に対する通過帯域を拡大する制御を行なう制御部の一例として機能する。
【００７９】
さらに、処理部５２は、通過帯域を拡大する制御を行なった後に、光伝送路において伝送された既知のトレーニング信号の伝送結果に基づいて光伝送路の伝送路特性を推定する処理部の一例として機能する。
図１７に示す例では、Ｔｘ２から送信された信号光が、光ノード４−１によって光伝送路を伝送する波長多重信号光に挿入（アド）され、その後、光ノード４−２〜４−（ｎ−１）を通過（スルー）し、光ノード４−ｎで分岐（ドロップ）され、Ｒｘ３で受信される。なお、図１７に例示する光伝送システム１´のネットワーク形態は、あくまで一例であり、光伝送システム１´は、リング型，メッシュ型，スター型，フルコネクト型，バス型，ツリー型などの種々のネットワーク形態を有していてもよい。また、光伝送システム１´は、各ネットワーク形態の組み合わせを有していてもよい。
【００８０】
図１７に示す光伝送システム１´において、例えば、ＧＭＰＬＳを用いて前述した制御を行なう場合の処理フローの一例を図１９に示す。
この場合、図１９に例示するように、まず、各光ノード４が、ＧＭＰＬＳを用いて、チャネル毎に、自局４に隣接する光ノード４との接続情報を取得し、取得した接続情報を管理しておく（ステップＳ６０）。なお、この接続情報は、例えば、各光ノード４のＷＳＳ４３におけるチャネル毎の設定情報を含んでいてもよい。
【００８１】
そして、ＮＭＳ５は、各光ノード４に対して、上記チャネル毎の接続情報を問い合わせ（ステップＳ６１）、各光ノード４は、ＮＭＳ５に対して、上記チャネル毎の接続情報を通知する（ステップＳ６２）。
次に、ＮＭＳ５は、各光ノード４から通知された上記チャネル毎の接続情報を基に、チャネル毎の通信経路情報を作成する（ステップＳ６３）。なお、この通信経路情報は、例えば、各チャネルの信号光がどの光ノード４でアドされ、どの光ノード４でスルーされ、どの光ノード４でドロップされるかを示す情報を含んでいてもよい。
【００８２】
さらに、ＮＭＳ５は、新たに開通するチャネル（立ち上げチャネル）の通信経路に基づいて、各光ノード４のＷＳＳ４３に関する設定に関する指示を、各光ノード４に送信する（ステップＳ６４）。
各光ノード４は、ＮＭＳ５から通知された上記指示に基づいて、自局４内のＷＳＳ４３における、立ち上げチャネルの入出力設定（ノード内経路設定）を行なう（ステップＳ６５）。
【００８３】
次に、ＮＭＳ５は、立ち上げチャネルにおいて、トレーニング信号が受ける損失や送信器から受信器までの通過帯域幅などを、実測やシミュレーションなどによって測定（取得）する（ステップＳ６６）。
そして、ＮＭＳ５は、上記取得した通過帯域幅が所要帯域幅より大きいかどうかを判定する（ステップＳ６７）。なお、所要帯域幅は、例えば、立ち上げチャネルにおいて伝送されるトレーニング信号に要求される通過帯域幅のことをいう。所要帯域幅は、例えば、立ち上げチャネルにおいて伝送されるトレーニング信号についてのペナルティ許容値などに基づいて定められてもよい。
【００８４】
上記取得した通過帯域幅が所要帯域幅より大きいと判定した場合（ステップＳ６７のＹｅｓルート）、ＮＭＳ５は、制御を終了し、各光ノード４に制御の終了を通知する（ステップＳ７４）。なお、制御の終了を通知された各光ノード４は、ＷＳＳ４３において通過帯域を拡大することなく、トレーニング信号の伝送を開始し、初期プロセスを実施する。
一方、上記取得した通過帯域幅が所要帯域幅以下であると判定した場合（ステップＳ６７のＮｏルート）、ＮＭＳ５は、図９に例示した制御対象ノード決定処理と同様の方法により、制御対象ノードを決定する（ステップＳ６８）。
【００８５】
そして、ＮＭＳ５は、上記決定した制御対象ノードに対して、制御開始を通知し（ステップＳ６９）、制御開始を通知された制御対象ノード４は、自局４内のＷＳＳ４３の立ち上げチャネルにおける通過帯域幅を拡大し（ステップＳ７０）、トレーニング信号を伝送して、初期プロセスを実施する。
ＮＭＳ５は、初期プロセスを実施する光ノード４から初期プロセスの完了報告を受けることにより、初期プロセスが完了したかどうかを判定し（ステップＳ７１）、初期プロセスが完了していなければ（ステップＳ７１のＮｏルート）、ステップＳ７１の処理を繰り返す。
【００８６】
一方、初期プロセスが完了したと判定すれば（ステップＳ７１のＹｅｓルート）、ＮＭＳ５は、制御対象ノード４に対して制御の終了を通知し（ステップＳ７２）、制御の終了を通知された制御対象ノード４は、自局４内のＷＳＳ４３について、立ち上げチャネルにおける通過帯域幅を元に戻し（ステップＳ７３）、立ち上げチャネルにおいて信号光の伝送を開始する。
【００８７】
また、図１７に示す光伝送システム１´において、例えば、ＴＬ１コマンドを用いて前述した制御を行なう場合の処理フローの一例を図２０に示す。
この場合、図２０に例示するように、まず、ＮＭＳ５が、ＴＬ１コマンドにより、各光ノード４に対して、自局４内のＷＳＳ４３に関する設定情報を問い合わせ（ステップＳ８０）、各光ノード４は、ＮＭＳ５に対して、ＴＬ１コマンドの実行結果として、上記設定情報を通知する（ステップＳ８１）。
【００８８】
次に、ＮＭＳ５は、各光ノード４から通知された上記設定情報を基に、チャネル毎の通信経路情報を作成する（ステップＳ８２）。なお、この通信経路情報は、例えば、各チャネルの信号光がどの光ノード４でアドされ、どの光ノード４でスルーされ、どの光ノード４でドロップされるかを示す情報を含んでいてもよい。
さらに、ＮＭＳ５は、新たに開通するチャネル（立ち上げチャネル）の通信経路に基づいて、各光ノード４のＷＳＳ４３に関する設定に関する指示を、各光ノード４に送信する（ステップＳ８３）。
【００８９】
各光ノード４は、ＮＭＳ５から通知された上記指示に基づいて、自局４内のＷＳＳ４３における、立ち上げチャネルの入出力設定（ノード内経路設定）を行なう（ステップＳ８４）。
次に、ＮＭＳ５は、立ち上げチャネルにおいて、トレーニング信号が受ける損失や送信器から受信器までの通過帯域幅などを、実測やシミュレーションなどによって測定（取得）する（ステップＳ８５）。
【００９０】
そして、ＮＭＳ５は、上記取得した通過帯域幅が所要帯域幅より大きいかどうかを判定する（ステップＳ８６）。なお、所要帯域幅は、例えば、立ち上げチャネルにおいて伝送されるトレーニング信号に要求される通過帯域幅のことをいう。所要帯域幅は、例えば、立ち上げチャネルにおいて伝送されるトレーニング信号についてのペナルティ許容値などに基づいて定められてもよい。
【００９１】
上記取得した通過帯域幅が所要帯域幅より大きいと判定した場合（ステップＳ８６のＹｅｓルート）、ＮＭＳ５は、制御を終了し、各光ノード４に制御の終了を通知する（ステップＳ９３）。なお、制御の終了を通知された各光ノード４は、ＷＳＳ４３において通過帯域を拡大することなく、トレーニング信号の伝送を開始し、初期プロセスを実施する。
一方、上記取得した通過帯域幅が所要帯域幅以下であると判定した場合（ステップＳ８６のＮｏルート）、ＮＭＳ５は、図９に例示した制御対象ノード決定処理と同様の方法により、制御対象ノードを決定する（ステップＳ８７）。
【００９２】
そして、ＮＭＳ５は、上記決定した制御対象ノードに対して、制御開始を通知し（ステップＳ８８）、制御開始を通知された制御対象ノード４は、自局４内のＷＳＳ４３の立ち上げチャネルにおける通過帯域幅を拡大し（ステップＳ８９）、トレーニング信号を伝送して、初期プロセスを実施する。
ＮＭＳ５は、初期プロセスを実施する光ノード４から初期プロセスの完了報告を受けることにより、初期プロセスが完了したかどうかを判定し（ステップＳ９０）、初期プロセスが完了していなければ（ステップＳ９０のＮｏルート）、ステップＳ９０の処理を繰り返す。
【００９３】
一方、初期プロセスが完了したと判定すれば（ステップＳ９０のＹｅｓルート）、ＮＭＳ５は、制御対象ノード４に対して制御の終了を通知し（ステップＳ９１）、制御の終了を通知された制御対象ノード４は、自局４内のＷＳＳ４３について、立ち上げチャネルにおける通過帯域幅を元に戻し（ステップＳ９２）、立ち上げチャネルにおいて信号光の伝送を開始する。
【００９４】
以上のように、本例においても、光伝送路の伝送路特性を推定するためのトレーニング信号を伝送する前に、光ノード４において、当該トレーニング信号の通過帯域を拡大しておくことにより、トレーニング信号が受ける損失を減少させることができる。
その結果、光ファイバ特性を適切に推定することができ、ディジタル信号処理用のパラメータ設定を適切に行なうことが可能となる。
【００９５】
〔４〕その他
なお、上述した実施形態及び各変形例における光伝送システム１，１´、光ノード４及びＮＭＳ５の各構成及び各機能は、必要に応じて取捨選択してもよいし、適宜組み合わせて用いてもよい。即ち、本発明の機能を発揮できるように、上記の各構成及び各機能を取捨選択したり、適宜組み合わせて用いたりしてもよい。
【００９６】
また、例えば、上述した第１変形例では、トレーニング信号が伝送されるチャネルに隣接する隣接チャネルのいずれかでアド又はドロップが実施される光ノード４については、非制御対象に決定したが、両隣接チャネルがともにアド又はドロップの実施対象でなければ、当該光ノード４を制御対象に決定するようにしてもよい。この場合、トレーニング信号に対する通過帯域は、アド又はドロップの実施対象でない隣接チャネルまで拡大することができる。即ち、通過帯域制御部４６又はＮＭＳ５は、上記隣接チャネルの状態に応じて、制御対象チャネルの通過帯域を拡大する方向を決定する機能を有していてもよい。
【００９７】
以上の実施形態及び各変形例に関し、さらに以下の付記を開示する。
〔５〕付記
（付記１）
複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムの制御方法であって、
前記光伝送路が通過する前記少なくとも１つの光伝送装置において前記既知のシンボル系列に対する通過帯域を拡大する制御を行ない、
前記光伝送路において前記既知のシンボル系列を伝送し、
前記伝送の結果に基づいて前記光伝送路の伝送路特性を推定する、
ことを特徴とする、光伝送システムの制御方法。
【００９８】
（付記２）
前記推定の完了後、前記拡大する制御を行なった通過帯域を元に戻す制御を行なうとともに、前記推定の結果に基づいて前記一の光伝送装置，前記光伝送路が通過する光伝送装置及び前記他の光伝送装置の少なくともいずれかにおけるディジタル信号処理のための設定を行なう、
ことを特徴とする、付記１記載の光伝送システムの制御方法。
【００９９】
（付記３）
前記他の光伝送装置において前記伝送後の既知のシンボル系列が所定の受信品質を満たすように、前記光伝送路が通過する前記少なくとも１つの光伝送装置の前記通過帯域を拡大する制御を行なう、
ことを特徴とする、付記１又は２に記載の光伝送システムの制御方法。
【０１００】
（付記４）
前記光伝送路が通過する光伝送装置の数に基づいて、前記通過帯域を拡大する制御の対象となる光伝送装置の数を決定する、
ことを特徴とする、付記１〜３のいずれか１項に記載の光伝送システムの制御方法。
（付記５）
前記光伝送路が通過する光伝送装置のうち、前記既知のシンボル系列が伝送されるチャネルに隣接する隣接チャネルが未使用である光伝送装置を、前記通過帯域を拡大する制御の対象に決定する、
ことを特徴とする、付記１〜４のいずれか１項に記載の光伝送システムの制御方法。
【０１０１】
（付記６）
前記光伝送路が通過する光伝送装置のうち、前記既知のシンボル系列が伝送されるチャネルに隣接する隣接チャネルにおいて信号光が挿入又は分岐される光伝送装置を、前記通過帯域を拡大する制御の非対象に決定する、
ことを特徴とする、付記１〜５のいずれか１項に記載の光伝送システムの制御方法。
【０１０２】
（付記７）
前記光伝送システムがリング状ネットワークを含む場合、
前記通過帯域を拡大する制御を行なうことにより発生する漏れ光が前記リング状ネットワークを周回しないように、前記通過帯域を拡大する制御の対象となる光伝送装置を決定する、
ことを特徴とする、付記１〜６のいずれか１項に記載の光伝送システムの制御方法。
【０１０３】
（付記８）
前記光伝送路が通過する光伝送装置が波長選択スイッチを有し、
前記波長選択スイッチにおいて、前記既知のシンボル系列が伝送されるチャネルの通過帯域を当該チャネルに隣接する隣接チャネルの通過帯域まで拡大することにより、前記通過帯域を拡大する制御を行なう、
ことを特徴とする、付記１〜７のいずれか１項に記載の光伝送システムの制御方法。
【０１０４】
（付記９）
前記光伝送路が通過する光伝送装置がＬＣＯＳ（Liquid Crystal On Silicon）型の波長選択スイッチを有し、
前記ＬＣＯＳ型の波長選択スイッチにおいて、前記既知のシンボル系列が伝送されるチャネルに隣接する隣接チャネルを通過状態に設定することにより、前記通過帯域を拡大する制御を行なう、
ことを特徴とする、付記１〜７のいずれか１項に記載の光伝送システムの制御方法。
【０１０５】
（付記１０）
複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムの前記光伝送路が通過する光伝送装置であって、
前記既知のシンボル系列を伝送する前に、前記既知のシンボル系列に対する通過帯域を拡大する制御を行なう制御部と、
前記制御部が前記通過帯域を拡大する制御を行なった後に、前記既知のシンボル系列を前記光伝送路で伝送する伝送処理部と、をそなえる、
ことを特徴とする、光伝送装置。
【０１０６】
（付記１１）
複数の光伝送装置と、一の光伝送装置から少なくとも１つの光伝送装置を通過して他の光伝送装置へ至る光伝送路において既知のシンボル系列を伝送した結果に基づいて前記光伝送路の伝送路特性を推定する制御装置と、を有する光伝送システムの前記制御装置であって、
前記既知のシンボル系列を伝送する前に、前記光伝送路が通過する前記少なくとも１つの光伝送装置において前記既知のシンボル系列に対する通過帯域を拡大する制御を行なう制御部と、
前記制御部が前記通過帯域を拡大する制御を行なった後に、前記光伝送路において伝送された前記既知のシンボル系列の伝送結果に基づいて前記光伝送路の伝送路特性を推定する処理部と、をそなえる、
ことを特徴とする、制御装置。
【０１０７】
（付記１２）
複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムであって、
前記少なくとも１つの光伝送装置が、付記１０記載の光伝送装置である、
ことを特徴とする、光伝送システム。
【０１０８】
（付記１３）
複数の光伝送装置をそなえ、一の光伝送装置から少なくとも１つの光伝送装置を通過して他の光伝送装置へ至る光伝送路において既知のシンボル系列を伝送した結果に基づいて前記光伝送路の伝送路特性を推定する光伝送システムであって、
付記１１記載の制御装置をそなえる、
ことを特徴とする、光伝送システム。
【符号の説明】
【０１０９】
１，１´  光伝送システム
２，２−１，２−２  光送信器（Ｔｘ）
３，３−１，３−２  光受信器（Ｒｘ）
４，４−１〜４−１０，４−（ｎ−１），４−ｎ  光ノード
５  ネットワーク管理装置（ＮＭＳ）
４１−１〜４１−４  光カプラ
４２−１〜４２−４  光増幅器
４３，４３−１，４３−２  波長選択スイッチ
４４−１，４４−２  ＯＳＣ処理装置
４５−１，４５−２  監視制御部
４６  通過帯域制御部
４７  入力ポート
４８  出力ポート
４９  アドポート
５１  受信部
５２  処理部
５３  送信部
４３１，４３４  光カプラ
４３２−１〜４３２−５  通過帯域可変フィルタ
４３３−１〜４３３−５  ２×１光スイッチ
【図１】
2013201517.tif 000003
【図２】
2013201517.tif 000004
【図３】
2013201517.tif 000005
【図４】
2013201517.tif 000006
【図５】
2013201517.tif 000007
【図６】
2013201517.tif 000008
【図７】
2013201517.tif 000009
【図８】
2013201517.tif 000010
【図９】
2013201517.tif 000011
【図１０】
2013201517.tif 000012
【図１１】
2013201517.tif 000013
【図１２】
2013201517.tif 000014
【図１３】
2013201517.tif 000015
【図１４】
2013201517.tif 000016
【図１５】
2013201517.tif 000017
【図１６】
2013201517.tif 000018
【図１７】
2013201517.tif 000019
【図１８】
2013201517.tif 000020
【図１９】
2013201517.tif 000021
【図２０】
2013201517.tif 000022